(57)【要約】【課題】増設メモリ、増設カセット等のデバイスを追加する場合に、作業者が正確かつ迅速な装着作業を容易に行なうことができる電気機器を提供する。【解決手段】増設メモリＸをデバイス装着部４１に装着した場合に操作部１５から作業者が入力すべき設定事項の設定手順と、増設メモリＸとが関連付けて手順記憶部３１に記憶されている。ＭＦＰ１の電源投入後、ＣＰＵ１０は、デバイス装着部４１に増設メモリＸが装着されたと判定した場合に、装着された増設メモリＸに関連付けて手順記憶部３１に記憶されている設定手順を示す画像を、印刷部２１を制御して記録用紙上に形成させ（印刷し）、出力する。作業者は、記録用紙に印刷された画像に示される設定手順に従って、操作部１５から、入力すべき正確な設定事項を入力する。すると、増設メモリＸが正常に作動する。【選択図】図１
2008012763.tif 000002
【特許請求の範囲】
【請求項１】
自身の機能を拡張するためのデバイスを着脱することが可能な着脱手段と、
該着脱手段に装着されたデバイスの装着時の設定事項が入力される入力手段と
を備え、
該入力手段から前記設定事項が入力された場合に、前記デバイスが作動する電気機器において、
デバイスを前記着脱手段に装着した場合に前記入力手段から入力すべき設定事項の設定手順を、前記デバイスに関連付けて記憶する記憶手段と、
前記着脱手段にデバイスが装着されたか否かを判定する判定手段と、
該判定手段が装着されたと判定した場合に、前記着脱手段に装着されたデバイスに関連付けて前記記憶手段に記憶されている設定手順を報知する報知手段と
を備えることを特徴とする電気機器。
【請求項２】
画像を記録媒体に形成する画像形成手段を備え、
前記報知手段は、前記画像形成手段に、前記設定手順を示す画像を形成させるようにしてあることを特徴とする請求項１に記載の電気機器。
【請求項３】
表示手段を備え、
前記報知手段は、前記表示手段に、前記設定手順を表示させるようにしてあることを特徴とする請求項１又は２に記載の電気機器。
【請求項４】
前記報知手段による報知を実行するか否かを選択するための選択手段を備え、
前記報知手段は、前記選択手段によって報知の実行が選択された場合に前記設定手順を報知するようにしてあることを特徴とする請求項１乃至３の何れか一項に記載の電気機器。
【発明の詳細な説明】
【技術分野】
【０００１】
本発明は、自身の機能を拡張するためのデバイスを着脱することが可能な電気機器に関する。
【背景技術】
【０００２】
プリンタ機能、コピー機能、ファクシミリ機能、インターネットファクシミリ機能等を有するＭＦＰ（Multi Functional Peripheral ：デジタル複合機）、又は、プリンタ、コピー機、ファクシミリ装置、インターネットファクシミリ装置等は、ＲＡＭ、ＥＥＰＲＯＭ等の増設メモリ、画像形成（以下、印刷という）用の記録用紙を収容する増設カセット等のデバイスを追加することが可能なように構成されている。
【０００３】
例えばＭＦＰにデバイスを追加する場合、追加のデバイスを正しく作動させるために、作業者は、ＭＦＰの操作パネルから、デバイスの設定事項を入力する。
この設定事項の設定手順は、従来、印刷物である手順書（取扱説明書）に記載して、デバイスに同梱してある。このため、作業者は、手順書に記載されている設定手順に従って、必要な設定事項を、操作パネルからＭＦＰに入力する。
【０００４】
さて、自身の基本的操作ガイダンス、詳細な操作マニュアル等を含むメニューを自身の表示部に表示させ、表示されたメニューの少なくとも一部が自身の操作部から選択された場合に、選択されたメニューに応じて、自身の操作方法を表示部に表示するディスク装置が開示されている（特許文献１参照）。
また、従来、プリンタがインク切れを起こした場合に、インクカートリッジの装着手順を自身の表示部に表示するプリンタメンテナンスガイド装置が開示されている（特許文献２参照）。
【特許文献１】特開２００５−３３９６１９号公報
【特許文献２】特開２００１−１１３７９２号公報
【発明の開示】
【発明が解決しようとする課題】
【０００５】
一般に、増設メモリのようなデバイスは、多種類のＭＦＰに夫々装着することが可能な共通品であることが多い。そして、同種類のデバイスを、異なる種類のＭＦＰに対して装着した場合は、異なる種類の設定事項をＭＦＰの操作パネルから入力する必要があることが多い。
このため、デバイスに同梱されている手順書には、ＭＦＰの種類毎に、異なる設定手順が記載されており、記載内容が複雑である。
【０００６】
この結果、作業者は、デバイスを増設したＭＦＰの種類に応じて、正確な設定手順を手順書から探し出す繁雑な作業を強いられる。
また、作業者が、正確な設定手順を発見し損ねて、異なる設定手順に従って誤まった設定事項を入力することも考えられる。
【０００７】
また、ＭＦＰに新規の機種が増える都度、デバイスに同梱すべき手順書の内容を改訂する必要があり、より一層手順書が読み難く、正確な設定手順を見つけ難くなる。
更に、改訂の手間隙がデバイス又はＭＦＰのコストアップにつながる。
更にまた、まだ改訂されていない手順書が同梱されたデバイスは、新しい種類のＭＦＰに取り付けることが略不可能となる。
【０００８】
つまり、従来のＭＦＰは、デバイスの正確かつ迅速な装着作業を行なうことが困難である。
しかしながら、特許文献１，２には、デバイスの正確かつ迅速な装着作業を意図した技術は開示されていない。
【０００９】
本発明は斯かる事情に鑑みてなされたものであり、その主たる目的は、デバイスが装着された場合に、装着されたデバイスの設定手順を報知する構成とすることにより、デバイスの正確かつ迅速な装着作業を容易に行なうことができる電気機器を提供することにある。
【００１０】
本発明の他の目的は、装着されたデバイスの設定手順を示す画像を記録媒体に形成する構成とすることにより、手順書に代わる印刷物を形成して、デバイスの正確かつ迅速な装着作業を容易に行なうことができる電気機器を提供することにある。
【００１１】
本発明の他の目的は、装着されたデバイスの設定手順を表示する構成とすることにより、手順書に代わる印刷物を形成することなく、デバイスの正確かつ迅速な装着作業を容易に行なうことができる電気機器を提供することにある。
【００１２】
本発明の更に他の目的は、報知の実行が選択された場合に設定手順を報知する構成とすることにより、作業者にとって不要な報知が行なわれることを抑制することができる電気機器を提供することにある。
【課題を解決するための手段】
【００１３】
第１発明に係る電気機器は、自身の機能を拡張するためのデバイスを着脱することが可能な着脱手段と、該着脱手段に装着されたデバイスの装着時の設定事項が入力される入力手段とを備え、該入力手段から前記設定事項が入力された場合に、前記デバイスが作動する電気機器において、デバイスを前記着脱手段に装着した場合に前記入力手段から入力すべき設定事項の設定手順を、前記デバイスに関連付けて記憶する記憶手段と、前記着脱手段にデバイスが装着されたか否かを判定する判定手段と、該判定手段が装着されたと判定した場合に、前記着脱手段に装着されたデバイスに関連付けて前記記憶手段に記憶されている設定手順を報知する報知手段とを備えることを特徴とする。
【００１４】
第２発明に係る電気機器は、画像を記録媒体に形成する画像形成手段を備え、前記報知手段は、前記画像形成手段に、前記設定手順を示す画像を形成させるようにしてあることを特徴とする。
【００１５】
第３発明に係る電気機器は、表示手段を備え、前記報知手段は、前記表示手段に、前記設定手順を表示させるようにしてあることを特徴とする。
【００１６】
第４発明に係る電気機器は、前記報知手段による報知を実行するか否かを選択するための選択手段を備え、前記報知手段は、前記選択手段によって報知の実行が選択された場合に前記設定手順を報知するようにしてあることを特徴とする。
【００１７】
第１発明にあっては、自身の機能を拡張するためのデバイスを着脱することが可能な着脱手段と、入力手段と、記憶手段と、判定手段と、報知手段とを備える。
入力手段には、着脱手段に装着されたデバイスの装着時の設定事項が、例えば作業者によって入力される。
記憶手段には、デバイスと、例えば作業者がデバイスを着脱手段に装着した場合に入力手段から入力すべき設定事項の設定手順とが、関連付けて記憶される。
【００１８】
判定手段は、着脱手段にデバイスが装着されたか否かを判定し、判定手段が、着脱手段にデバイスが装着されたと判定した場合に、着脱手段に装着されたデバイスに関連付けて記憶手段に記憶されている設定手順を、報知手段が報知する（例えば設定手順を説明する音声を出力する）。
作業者は、報知された設置手順に従って、入力手段から設定事項を入力し、設定事項が入力された場合に、デバイスが作動する。
【００１９】
第２発明にあっては、判定手段が、着脱手段にデバイスが装着されたと判定した場合に、着脱手段に装着されたデバイスに関連付けて記憶手段に記憶されている設定手順を示す画像を、画像形成手段が、例えば画像形成用の記録用紙のような記録媒体に形成する。
作業者は、記録媒体に形成された画像に示される設置手順に従って、入力手段から設定事項を入力し、設定事項が入力された場合に、デバイスが作動する。
【００２０】
第３発明にあっては、判定手段が、着脱手段にデバイスが装着されたと判定した場合に、着脱手段に装着されたデバイスに関連付けて記憶手段に記憶されている設定手順を、表示手段が表示する。
作業者は、表示手段に表示された設置手順に従って、入力手段から設定事項を入力し、設定事項が入力された場合に、デバイスが作動する。
【００２１】
第４発明にあっては、例えば作業者が、設定手順の報知の要／不要に応じて、選択手段を用い、報知手段による報知を実行するか否かを選択する。
報知手段は、選択手段によって報知の実行が選択された場合に、即ち、作業者が設定手順の報知を必要としている場合に、設定手順を報知する。
【発明の効果】
【００２２】
第１発明の電気機器による場合、設定事項の設定手順を電気機器自身が作業者に報知するため、設定手順を報知された作業者は、設定手順が記載された手順書を参照せずとも、電気機器に装着したデバイスを正常に作動させるための正確な設定事項を、報知された設定手順に従って、電気機器に入力することができる。
【００２３】
手順書には、電気機器の種類毎に異なる設定手順が記載されているため、記載内容が複雑であるが、作業者は手順書を読む必要がなく、このため、デバイスを増設した電気機器の種類に応じて、正確な設定手順を手順書から探し出す繁雑な作業を強いられることがない。
【００２４】
また、作業者が、正確な設定手順を発見し損ねることがないため、異なる設定手順に従って誤まった設定事項を電気機器に入力することを抑制することができる。
しかも、電気機器に新規の機種が増える都度、デバイスに同梱すべき手順書の内容を改訂する必要がないため、手順書の内容が簡易になり、更に、手順書の改訂の手間隙がないためデバイス又は電気機器のコストアップを抑制することができる。
更にまた、まだ改訂されていない手順書が同梱されたデバイスであっても、新しい種類の電気機器に取り付けることが可能となる。
【００２５】
以上の結果、作業者が、電気機器に対するデバイスの正確かつ迅速な装着作業を容易に行なうことができる。
【００２６】
第２発明の電気機器による場合、設定事項の設定手順を示す画像を、記録媒体に形成することができる。つまり、手順書に代わる印刷物を電気機器自身が形成することができる。
作業者は、複数の電気機器の設定手順が記載された手順書を参照せずとも、電気機器自身が形成した印刷物、即ち当該電気機器の設定手順のみが記載された記録媒体を参照して、電気機器に装着したデバイスを正常に作動させるための正確な設定事項を、報知された設定手順に従って、電気機器に入力することができる。
【００２７】
以上の結果、作業者が、手順書を用いる場合以上の簡便さで、電気機器に対するデバイスの正確かつ迅速な装着作業を容易に行なうことができる。
【００２８】
第３発明の電気機器による場合、設定事項の設定手順を表示することができる。つまり、手順書に代わる印刷物を形成することなく、作業者に設定手順を報知することができる。
作業者は、設定手順が記載された手順書又は印刷物を参照せずとも、電気機器自身に表示された設定手順を視認して、電気機器に装着したデバイスを正常に作動させるための正確な設定事項を、報知された設定手順に従って、電気機器に入力することができる。
【００２９】
以上の結果、手順書のような印刷物を形成するために記録媒体を消費することなく、作業者が、電気機器に対するデバイスの正確かつ迅速な装着作業を容易に行なうことができる。
【００３０】
第４発明の電気機器による場合、作業者が設定手順の報知を必要としている場合に設定手順を報知することができ、逆に、作業者が設定手順の報知を必要としていない場合には、設定手順を報知しないことができる。
このため、当該電気機器に関するデバイスの設定手順がわからない作業者は、電気機器に対し、設定手順を報知させることができる。
一方、当該電気機器に関するデバイスの設定手順を既に知っている作業者は、電気機器がわざわざ設定手順を報知する無駄を省くことができる。
【発明を実施するための最良の形態】
【００３１】
以下、本発明を、その実施の形態を示す図面に基づいて詳述する。
【００３２】
図１は、本発明に係る電気機器としてのＭＦＰ１の構成を示すブロック図である。
ＭＦＰ１は、スキャナ機能、プリンタ機能、コピー機能、ファクシミリ機能等を有するデジタル複合機である。
【００３３】
ＭＦＰ１は、ＮＣＵ（ネットワーク・コントロール・ユニット）１６を介して電話回線Ｐに接続されている。ＭＦＰ１、及び電話回線Ｐに接続された外部のファクシミリ装置（図示せず）には、夫々固有のファクシミリ番号が付与されており、ＭＦＰ１及び外部のファクシミリ装置は、ＩＴＵ−Ｔ勧告Ｔ．３０の標準通信規格の手順に従って作動し、所定のプロトコルに従って、ファクシミリ通信用の画像情報（以下、ファクシミリ画像という）を送受信するよう夫々構成されている。
【００３４】
ＭＦＰ１は、ＣＰＵ１０、ＲＯＭ１１、ＲＡＭ１２、及びＥＥＰＲＯＭ１３を備え、ＣＰＵ１０は、ＲＡＭ１２を作業領域として用い、ＲＯＭ１１に記憶された制御プログラム及びデータとＥＥＰＲＯＭ１３に記憶されたデータとに従って装置各部を制御し、各種処理を実行する。ＥＥＰＲＯＭ１３の記憶領域の一部及び他の一部は、後述する手順記憶部３１及び設定記憶部３２である。
【００３５】
ＭＦＰ１の表示部１４は液晶パネルを用いてなり、操作部１５は、ハードキーと、表示部１４に重ねて配置してあるタッチパネル上にＣＰＵ１０によって設けられるソフトキーとを用いてなる各種操作キーを備える。
例えば操作キーは、作動開始を受け付けるスタートキー１５１、ファクシミリ番号、数値等の入力を受け付けるテンキー１５２等のハードキーである。また、操作キーは、後述するような印刷キー１５３、表示キー１５４、不要キー１５５等のソフトキーである。
【００３６】
表示部１４は、ＣＰＵ１０に制御されて、例えばＭＦＰ１の動作状態を示すメッセージ、ユーザに対する入力指示を示すメッセージ、エラーを報知するエラーメッセージ、操作部１５に設けられたソフトキー（例えば印刷キー１５３、表示キー１５４及び不要キー１５５）の位置を示す画像等を表示し、ＭＦＰ１の使用者、又はＭＦＰ１にデバイスを追加する作業者は、表示部１４を見ながら操作部１５の各種操作キーを操作する。
また、表示部１４には、後述する選択画面、入力画面等も表示される。
【００３７】
ＭＦＰ１の読取部１８は、読取部１８の画像読取位置にセットされた原稿、又は読取部１８が備える図示しない原稿搬送装置が画像読取位置へ搬送した原稿を光学的に読み取って画像情報（以下、通常画像という）となす。更にＭＦＰ１は、ＤＲＡＭを用いてなり、通常画像及び／又はファクシミリ画像を記憶する画像メモリ２０を備える。
【００３８】
更にまた、ＭＦＰ１は、所定の符号化方式で通常画像の符号化とファクシミリ画像の復号とを行なうＣＯＤＥＣ（符号化・復号器）１９、電話回線Ｐの回線制御を行なうＮＣＵ１６、及び、電話回線Ｐを介して、図示しないファクシミリ装置との間でファクシミリ画像を送受信するモデム１７を備える。
【００３９】
ＭＦＰ１の印刷部２１は、電子写真方式のプリント装置と、記録媒体である記録用紙を収容するカセットと、このカセットに収容されている記録用紙を１枚ずつ画像形成用のプリント装置へ供給する給紙装置とで構成されており、画像メモリ２０に記憶された通常画像に基づいて記録用紙に画像を形成（印刷）する。
【００４０】
ＭＦＰ１は、デバイスとして、増設メモリＸ，Ｙ、図示しない増設カセット、ＮＩＣ（ネットワーク・インターフェース・カード）、ＡＬ（アディショナル・ライン。追加の電話回線）等が追加可能であるように構成され、このために、デバイス装着部４１，４２，…を備える。デバイス装着部４１，４２，…は、自身の機能を拡張するためのデバイスを着脱することが可能な着脱手段として機能する。
例えばデバイス装着部４１，４２夫々は、増設メモリＸ又は増設メモリＸとは種類が異なる増設メモリＹが着脱可能なメモリスロットである。
【００４１】
ＣＰＵ１０は、デバイス装着部４１，４２，…に装着されたデバイスに対する所定の信号の入出力を行なうことによって、デバイス装着部４１，４２，…にデバイスが装着されたか否か、及び、デバイス装着部４１，４２，…に装着されたデバイスの種類、デバイスに固有の識別情報（例えば製造番号）等を検出するよう構成されている。
【００４２】
作業者は、ＭＦＰ１の電源をオフにした状態で、デバイス装着部４１，４２，…の何れかにデバイスを装着する。次いで、作業者は、ＭＦＰ１の電源をオンにし、操作部１５から、デバイスの設定事項をＭＦＰ１に入力する。ＭＦＰ１に設定事項が正確に入力された場合、装着されたデバイスは正常に作動する。
【００４３】
また、デバイスの種類によっては、設定事項を入力しなくても、デバイス装着部４１，４２，…に対する装着によって、自動的に正常に作動する。ただし、このようなデバイスに関しても、このデバイスを追加したことを示す追加情報が設定記憶部３２に記憶される。
【００４４】
入力された設定事項及び追加情報は、設定記憶部３２、即ちＥＥＰＲＯＭ１３の一部に、装着されたデバイスに固有の識別情報に関連付けて記憶される。このため、ＭＦＰ１の電源がオフにされた場合でも、デバイスの設定事項が消去されることはない。つまり、作業者は、デバイスの装着後に１回だけ設定事項を入力すればよい。
【００４５】
以上のように、操作部１５は、着脱手段に装着されたデバイスの装着時の設定事項が入力される入力手段として機能し、ＭＦＰ１は、入力手段から設定事項が入力された場合に、デバイスが作動するよう構成してある。
【００４６】
図２は、手順記憶部３１に記憶してあるデータの一例を示す模式図である。
手順記憶部３１は、デバイスを着脱手段に装着した場合に入力手段から入力すべき設定事項の設定手順を、このデバイスに関連付けて記憶する記憶手段として機能する。
【００４７】
このために、手順記憶部３１には、デバイスの種類が予め記憶されている。
また、設定事項の入力を要するデバイスに関しては、デバイスの種類に関連付けて、操作部１５から入力すべき設定事項の設定手順が手順記憶部３１に予め記憶されている。例えば、増設メモリＸに関連付けて、増設メモリＸを初期化するためのメモリクリア手順、増設メモリＸの記憶容量を確認するための容量確認手順等が記憶されている。
【００４８】
一方、設定事項の入力を必要としないデバイスに関しては、設定手順が手順記憶部３１に記憶されていない（図２においては増設メモリＹに関連付けて「／」記号が記憶されている）。
【００４９】
ここで、手順記憶部３１に記憶されている設定手順は、ＭＦＰ１に対して入力すべき設定事項の設定手順であり、ＭＦＰ１とは種類が異なる他のＭＦＰ、プリンタ等に対して入力すべき設定事項の設定手順は記憶されていない。
【００５０】
手順記憶部３１はＥＥＰＲＯＭ１３の一部であるため、手順記憶部３１に記憶されているデータは、電源がオフにされても消去されない。また、手順記憶部３１に対し、記憶されているデータの消去、修正、新たなデータの記憶等を行なうことが可能である。
【００５１】
以下では、デバイス装着部４１，４２，…の何れかに１個の新たなデバイスが装着された場合について例示するが、複数の新たなデバイスが装着された場合でも、後述の適宜の処理を、デバイスの個数分だけ繰り返すことによって対応が可能である。
【００５２】
図３及び図４は、ＣＰＵ１０が実行するデバイス設定処理の手順を示すフローチャートである。
ＣＰＵ１０は、ＭＦＰ１の電源がオンされた場合に（Ｓ１１）、デバイス装着部４１，４２，…に装着されているデバイスを検出する（Ｓ１２）。Ｓ１２において、ＣＰＵ１０は、デバイス装着部４１，４２，…夫々にデバイスが装着されているか否かの検出と、装着されているデバイスの種類の検出と、このデバイスの識別情報の検出とを行なう。
【００５３】
そしてＣＰＵ１０は、デバイス装着部４１，４２，…に、新たなデバイスが装着されたか否かを判定する（Ｓ１３）。
【００５４】
デバイス装着部４１，４２，…にデバイスが全く装着されていない場合、又は、デバイス装着部４１，４２，…にデバイスが装着されており、しかも、装着されているデバイスに係る設定事項又は追加情報が、既に設定記憶部３２に記憶されている場合、ＣＰＵ１０は、新たなデバイスがデバイス装着部４１，４２，…に装着されていないと判定し（Ｓ１３でＮＯ）、デバイス設定処理を終了する。
このため、以前にＭＦＰ１に追加されたデバイスに係る設定事項は、再度入力されることはない。
【００５５】
一方、デバイス装着部４１，４２，…にデバイスが装着されており、しかも、装着されているデバイスに係る設定事項又は追加情報が、まだ設定記憶部３２に記憶されていない場合、ＣＰＵ１０は、新たなデバイスがデバイス装着部４１，４２，…に装着されたと判定する（Ｓ１３でＹＥＳ）。
Ｓ１３でＹＥＳの場合、ＣＰＵ１０は、手順記憶部３１を参照し（Ｓ１４）、Ｓ１２で検出したデバイスの種類に関連付けて、手順記憶部３１に設定手順が記憶されているか否かを判定する（Ｓ１５）。
【００５６】
手順記憶部３１に設定手順が記憶されていない場合（Ｓ１５でＮＯ）、即ち、装着されたデバイスに関する設定事項の入力が必要でない場合、ＣＰＵ１０は、Ｓ１２で検出したデバイスの識別情報に関連付けて、装着されたデバイスに係る追加情報を設定記憶部３２に記憶して、デバイス設定処理を終了する。
このため、新たにＭＦＰ１に装着されたデバイスであっても、設定事項が不要なデバイスに対してＳ１６以降の処理が実行される不具合が防止される。
【００５７】
手順記憶部３１に設定手順が記憶されている場合（Ｓ１５でＹＥＳ）、即ち、装着されたデバイスに関する設定事項の入力が必要である場合、ＣＰＵ１０は、表示部１４を制御して選択画面を表示し（Ｓ１６）、印刷キー１５３、表示キー１５４、及び不要キー１５５を含むソフトキーを操作部１５に設ける（Ｓ１７）。
【００５８】
Ｓ１６で表示される選択画面とは、作業者に、デバイスの設定手順の報知の要否を選択させ、報知が必要である場合は、設定手順を示す画像を印刷するか、設定手順を表示するかを選択させるための画面である。このためにＣＰＵ１０は、例えば「印刷」、「表示」及び「不要」という画像を表示部１４に表示させる。
【００５９】
そしてＣＰＵ１０は、表示部１４に表示させた「印刷」「表示」「不要」という画像に対応させて、Ｓ１７にて、操作部１５のタッチパネルに、印刷を選択するためのソフトキーである印刷キー１５３、表示を選択するためのソフトキーである表示キー１５４、印刷も表示もしない（報知が不要である）ことを選択するためのソフトキーである不要キー１５５を設ける。
【００６０】
作業者は、デバイスの設定事項の設定手順が印刷された記録用紙を必要とする場合は印刷キー１５３を操作し、デバイスの設定事項を表示部１４に表示させたい場合は表示キー１５４を操作し、どちらも不要である場合は不要キー１５５を操作する。
【００６１】
そしてＣＰＵ１０は、印刷キー１５３が操作されたか否かを判定し（Ｓ３１）、操作された場合（Ｓ３１でＹＥＳ）、Ｓ１２で検出したデバイスの種類に関連付けて手順記憶部３１に記憶されている設定手順を読み出し（Ｓ３２）、読み出した設定手順を示す通常画像を画像メモリ２０に記憶させる。更にＣＰＵ１０は、画像メモリ２０に記憶された通常画像に基づいて、設定手順を示す画像を記録用紙に印刷させ（Ｓ３３）、出力させる。
【００６２】
ＣＰＵ１０は、表示部１４に、作業者が設定事項を入力するための入力画面を表示させる（Ｓ３４）。この入力画面には、例えば、設定事項の入力指示、設定事項を受け付けるテキストボックス等が表示される。また、ＣＰＵ１０は、必要に応じて、設定事項の入力に用いるべきソフトキーを操作部１５に設ける。
【００６３】
作業者は、出力された記録用紙に印刷されている画像に示されている設定手順を視認し、また、表示部１４に表示されている入力画面を視認して、操作部１５を用い、設定事項を入力する。
この記録用紙には、ＭＦＰ１に関する設定手順のみが示されており、他の電気機器に関する設定手順は示されていないため、ＭＦＰ１に関する設定手順を作業者が探し出す必要はない。
【００６４】
ＣＰＵ１０は、操作部１５から設定事項が入力されたか否かを判定し（Ｓ３５）、入力されていない場合は（Ｓ３５でＮＯ）、入力されるまで待機する。
操作部１５から設定事項が入力された場合（Ｓ３５でＹＥＳ）、ＣＰＵ１０は、Ｓ１２で検出されたデバイスの識別情報と、Ｓ３５で入力された設定事項とを関連付けて、設定記憶部３２に記憶させ（Ｓ３６）、デバイス設定処理を終了する。
【００６５】
デバイス設定処理の終了によってデバイスの追加が完了し、この後、デバイス装着部４１，４２，…に装着された新たなデバイスが、設定記憶部３２に記憶された設定事項に基づいて、正常に作動する。即ち、ＣＰＵ１０が、設定記憶部３２に記憶された設定事項に基づいて、新たなデバイスを正常に制御することが可能となる。
【００６６】
印刷キー１５３が操作されていない場合（Ｓ３１でＮＯ）、ＣＰＵ１０は、表示キー１５４が操作されたか否かを判定し（Ｓ３７）、操作された場合（Ｓ３７でＹＥＳ）、Ｓ１２で検出したデバイスの種類に関連付けて手順記憶部３１に記憶されている設定手順を読み出し（Ｓ３８）、読み出した設定手順を表示部１４に表示させ、これと同時的に、作業者が設定事項を入力するための入力画面を表示させる（Ｓ３９）。
【００６７】
作業者は、表示部１４に表示されている設定手順及び入力画面を視認して、操作部１５を用い、設定事項を入力する。
この場合、表示部１４には、ＭＦＰ１に関する設定手順のみが示されており、他の電気機器に関する設定手順は示されていないため、ＭＦＰ１に関する設定手順を作業者が探し出す必要はない。
【００６８】
そしてＣＰＵ１０は、Ｓ３５に処理を移して、操作部１５から設定事項が入力されたか否かを判定する。
【００６９】
表示キー１５４が操作されていない場合（Ｓ３７でＮＯ）、ＣＰＵ１０は、不要キー１５５が操作されたか否かを判定し（Ｓ４１）、操作された場合（Ｓ４１でＹＥＳ）、処理をＳ３４に移して、表示部１４に入力画面を表示させる。
作業者は、自身が記憶している設定手順の通りに、又は手順書に記載されている設定手順を視認して、操作部１５を用い、設定事項を入力する。
【００７０】
不要キー１５５が操作されていない場合（Ｓ４１でＮＯ）、ＣＰＵ１０は、処理をＳ３１へ戻す。
【００７１】
以上のようなデバイス設定処理のＳ１３におけるＣＰＵ１０は、着脱手段にデバイスが装着されたか否かを判定する判定手段として機能する。
また、Ｓ３２及びＳ３３におけるＣＰＵ１０、並びにＳ３８及びＳ３９におけるＣＰＵ１０は、判定手段が、着脱手段にデバイスが装着されたと判定した場合（Ｓ１３でＹＥＳの場合）に、着脱手段に装着されたデバイスに関連付けて記憶手段に記憶されている設定手順を報知する報知手段として機能する。
【００７２】
更に詳細には、印刷部２１は、画像を記録媒体に形成する画像形成手段として機能し、Ｓ３２及びＳ３３におけるＣＰＵ１０、即ち報知手段は、画像形成手段に、設定手順を示す画像を形成させる。
また、表示部１４は表示手段として機能し、Ｓ３８及びＳ３９におけるＣＰＵ１０、即ち報知手段は、表示手段に、設定手順を表示させる。
【００７３】
更にまた、操作部１５は、Ｓ１７におけるＣＰＵ１０の処理の結果、Ｓ３１、Ｓ３７及びＳ４１において、報知手段による報知を実行するか否かを選択するための選択手段として機能し、報知手段は、選択手段によって報知の実行が選択された場合（即ちＳ３１でＹＥＳの場合、又はＳ３７でＹＥＳの場合）に設定手順を報知する。
【００７４】
以上のようなＭＦＰ１は、新たにデバイスを装着されたＭＦＰ１自身から、このＭＦＰ１に対応する設定手順の手順書が印刷されるか、手順書代わりの内容が表示されるため、デバイスに手順書を同梱する必要がない。また、作業者が、デバイスに同梱の手順書を用いる場合、又は手順書が不要である場合は、設定手順の印刷及び表示は行なわれない。
【００７５】
なお、ＭＦＰ１は、スキャナ機能、プリンタ機能、コピー機能、ファクシミリ機能以外の機能（インターネットファクシミリ機能、ファイルサーバ機能等）を有していてもよい。
また、本発明を適用し得る電気機器は、デバイスの追加が可能な構成であれば、ＭＦＰに限るものではない。この場合、電気機器は、設定手順を報知するために、設定手順を示す画像を記録媒体に印刷する印刷機能、設定手順を表示する表示機能、設定手順を説明する音声を発生させる音声発声機能等を有する。
【図面の簡単な説明】
【００７６】
【図１】本発明に係る電気機器としてのＭＦＰの構成を示すブロック図である。
【図２】本発明に係るＭＦＰが備える手順記憶部に記憶してあるデータの一例を示す模式図である。
【図３】本発明に係るＭＦＰのＣＰＵが実行するデバイス設定処理の手順を示すフローチャートである。
【図４】本発明に係るＭＦＰのＣＰＵが実行するデバイス設定処理の手順を示すフローチャートである。
【符号の説明】
【００７７】
１    ＭＦＰ（電気機器）
１０  ＣＰＵ（判定手段，報知手段）
１４  表示部（表示手段）
１５  操作部（入力手段，選択手段）
２１  印刷部（画像形成手段）
３１  手順記憶部（記憶手段）
４１，４２  デバイス装着部（着脱手段）
Ｘ，Ｙ  増設メモリ（デバイス）
【図１】
2008012763.tif 000003
【図２】
2008012763.tif 000004
【図３】
2008012763.tif 000005
【図４】
2008012763.tif 000006